(57)【要約】    【課題】  新しいバッテリ・ボックスを取付け接続するのと同時に、内蔵するバッテリの仕様を自動的に識別するようにする。    【解決手段】  特定のバッテリ・ボックスＢ１〜Ｂ４を選択して無停電電源装置21に取付け接続すると、バッテリ22の仕様に応じてバッテリ・ボックスＢ１〜Ｂ４に独自に設けられた識別部41の特徴を、各プッシュ・スイッチ１〜４が認識し、このプッシュ・スイッチ１〜４による検出結果を基に、判別部35がバッテリ・ボックスＢ１〜Ｂ４に内蔵するバッテリ22の仕様を判別する。そのため無停電電源装置21は、新しいバッテリ・ボックスＢ１〜Ｂ４を取付け接続するのと同時に、どのような仕様のバッテリ22に交換されたのかを自動的に認識することができる。    【選択図】    図１
2005310432.tif 000002
【特許請求の範囲】
【請求項１】
仕様の異なるバッテリが各々に収容されるバッテリ・ボックスに、前記バッテリの仕様に応じた異なる識別部を設けると共に、前記バッテリ・ボックスが取付け接続されるバッテリ駆動装置に、前記識別部を検出する検出部と、前記検出部の検出結果に基づき、前記バッテリ・ボックスに収容されたバッテリの仕様を判別する判別部とを備えたことを特徴とするバッテリ自動識別装置。
【請求項２】
前記検出部は複数のスイッチで構成されると共に、前記バッテリ駆動装置に前記バッテリ・ボックスを装着したときに、前記スイッチのそれぞれを前記バッテリの仕様に応じてオンまたはオフにするように、前記識別部を構成したことを特徴とする請求項１記載のバッテリ自動識別装置。
【請求項３】
前記バッテリ駆動装置にある複数の接触片を前記検出部として構成すると共に、前記バッテリ駆動装置と前記バッテリ・ボックスとを電気的に接続したときに、前記接触片のそれぞれを前記バッテリの仕様に応じて短絡または開放するように、前記識別部を構成したことを特徴とする請求項１記載のバッテリ自動識別装置。
【請求項４】
仕様の異なるバッテリを各々に収容したバッテリ・ボックスが選択的に取付け接続され、前記バッテリからの給電を受けて駆動するバッテリ駆動装置において、前記バッテリ・ボックスに設けられた前記バッテリの仕様に応じて異なる識別部を検出する検出部と、前記検出部の検出結果に基づき、前記バッテリ・ボックスに収容されたバッテリの仕様を判別する判別部とを備えたことを特徴とするバッテリ駆動装置。
【発明の詳細な説明】
【技術分野】
【０００１】
本発明は、無停電電源装置等のバッテリ駆動装置に使用されるバッテリの交換を行う場合、交換後のバッテリの仕様を自動的に識別させるバッテリ自動識別装置と、前記バッテリ駆動装置に関するものである。
【背景技術】
【０００２】
無停電電源装置等のバッテリ駆動装置に給電を行なうバッテリは、同一形状・同一寸法を有するバッテリ・ボックス内に収容され、そのバッテリ・ボックスを無停電電源装置に取付け接続して使用するのが一般的である。このバッテリ・ボックス内には、無停電電源装置において要求される電圧値およびその他の電源性能に対応して、最適なバッテリセルの個数や種類が選定され収容されている。
【０００３】
例えば、バッテリとして現在主流となって使用されている鉛蓄電池も、数種の異なる電圧値が要求され、その要求に応じた個数と種類の電池セルを収容したバッテリ・ボックスとの交換が必要となる。また無停電電源装置等に使用されるバックアップ用のバッテリは、現在鉛蓄電池が主流となって広く使用されているが、最近は環境問題から鉛蓄電池の廃棄問題の解決、また二次電池としての高性能化の要求に応えて、代替バッテリの実用化が開始されており、高性能リチウム・イオン二次電池やニッケル水素電池，ポリマー電池等の高性能二次電池への交換を行う必要性が出現してくる。従って、無停電電源装置の設計に際しては、鉛電池用の各種仕様、利用可能なリチウム・イオン二次電池の各種仕様、或いは、将来実用化が予想される次世代二次電池のことをも考慮し、効率的で確実性のあるこれらのバッテリ間の交換・対応が実行できるように設計を行なうことで、非常に有用性の高い装置とすることができる。
【０００４】
こうした観点から、例えば特許文献１では、バッテリの電力消費量を装置内部で計算すると共に、その時点でバッテリの放電電圧などから判定された当該バッテリの蓄電容量から予測される電力消費量と、計算された電力消費量との比較に応じて、バッテリの性能劣化や不具合を判定報知するものが開示されている。
【特許文献１】特開２０００−３４９８７３号公報
【発明の開示】
【発明が解決しようとする課題】
【０００５】
上記のような各種仕様のバッテリに適応できるように設計された無停電電源装置において、種々のバッテリを収容したバッテリ・ボックスに交換する毎に、夫々収容されたバッテリ仕様に対応して、内蔵するバッテリの充放電回路を切換える必要がある。例えば、鉛蓄電池からリチウム・イオン二次電池に交換した場合は、無停電電源装置内では、交換後のリチウム・イオン二次電池の仕様に対応した充放電条件の動作運転モードが実行されるように、充放電回路を切換えなければならない。
【０００６】
しかし、上記特許文献１にある技術は、交換後のバッテリの状態を長期的に監視することは可能であるが、バッテリ・ボックスに内蔵するバッテリの仕様を自動的に識別するものではなく、その場合は異なる仕様のバッテリを内蔵したバッテリ・ボックスを交換する毎に、充放電回路の切換え作業を余儀なくされる。そのため、作業中に誤操作が発生したり、効率的で確実性のあるバッテリ交換ができないといった懸念を生じていた。
【０００７】
そこで本発明は、新しいバッテリ・ボックスを取付け接続するのと同時に、内蔵するバッテリの仕様を自動的に識別することができる装置の提供を目的とする。
【課題を解決するための手段】
【０００８】
請求項１の発明は、仕様の異なるバッテリが各々に収容されるバッテリ・ボックスに、前記バッテリの仕様に応じた異なる識別部を設けると共に、前記バッテリ・ボックスが取付け接続されるバッテリ駆動装置に、前記識別部を検出する検出部と、前記検出部の検出結果に基づき、前記バッテリ・ボックスに収容されたバッテリの仕様を判別する判別部とを備えたバッテリ自動識別装置である。
【０００９】
この場合、特定のバッテリ・ボックスを選択してバッテリ駆動装置に取付け接続すると、バッテリの仕様に応じてバッテリ・ボックスに独自に設けられた識別部の特徴を、バッテリ駆動装置側にある検出部が認識し、この検出部による検出結果を基に、判別部がバッテリ・ボックスに内蔵するバッテリの仕様を判別する。そのためバッテリ駆動装置側では、新しいバッテリ・ボックスを取付け接続するのと同時に、どのような仕様のバッテリに交換されたのかを自動的に認識することができる。
【００１０】
請求項２の発明は、前記検出部が複数のスイッチで構成されると共に、前記バッテリ駆動装置に前記バッテリ・ボックスを装着したときに、前記スイッチのそれぞれを前記バッテリの仕様に応じてオンまたはオフにするように、前記識別部を構成したバッテリ自動識別装置である。
【００１１】
この場合、各バッテリ・ボックスには、予めスイッチのそれぞれをオンまたはオフする識別部が設けられているので、バッテリ・ボックスをバッテリ駆動装置に装着すれば、各スイッチのオン・オフ状態から自動的にバッテリの仕様を判別することが可能になる。
【００１２】
請求項３の発明は、前記バッテリ駆動装置がコネクタを備え、このコネクタにある複数の接触片を前記検出部として構成すると共に、前記コネクタにより前記バッテリ駆動装置と前記バッテリ・ボックスとを電気的に接続したときに、前記接触片のそれぞれを前記バッテリの仕様に応じて短絡または開放するように、前記識別部を構成したバッテリ自動識別装置である。
【００１３】
この場合、各バッテリ・ボックスには、予め接触片のそれぞれを任意のラインに短絡または開放する識別部が設けられているので、バッテリ・ボックスをバッテリ駆動装置に接続すれば、各接触片の短絡・開放状態から自動的にバッテリの仕様を判別することが可能になる。
【００１４】
請求項４の発明は、仕様の異なるバッテリを各々に収容したバッテリ・ボックスが選択的に取付け接続され、前記バッテリからの給電を受けて駆動するバッテリ駆動装置において、前記バッテリ・ボックスに設けられた前記バッテリの仕様に応じて異なる識別部を検出する検出部と、前記検出部の検出結果に基づき、前記バッテリ・ボックスに収容されたバッテリの仕様を判別する判別部とを備えたバッテリ駆動装置である。
【００１５】
この場合のバッテリ駆動装置は、特定のバッテリ・ボックスが選択的に取付け接続されると、バッテリの仕様に応じてバッテリ・ボックスに独自に設けられた識別部の特徴を検出部が認識し、この検出部の検出結果を基に、判別部がバッテリ・ボックスに内蔵するバッテリの仕様を判別する。そのため、新しいバッテリ・ボックスが取付け接続されるのと同時に、どのような仕様のバッテリに交換されたのかを自動的に認識することができる。
【発明の効果】
【００１６】
請求項１の発明によれば、新しいバッテリ・ボックスを取付け接続するのと同時に、当該バッテリ・ボックスに内蔵するバッテリの仕様を自動的に識別することが可能なバッテリ自動識別装置を提供できる。
【００１７】
請求項２の発明によれば、バッテリ・ボックスをバッテリ駆動装置に装着するだけで、各スイッチのオン・オフ状態から自動的にバッテリの仕様を判別することが可能なバッテリ自動識別装置を提供できる。
【００１８】
請求項３の発明によれば、バッテリ・ボックスをバッテリ駆動装置のコネクタに接続するだけで、各接触片の短絡・開放状態から自動的にバッテリの仕様を判別することが可能なバッテリ自動識別装置を提供できる。
【００１９】
請求項４の発明によれば、新しいバッテリ・ボックスが取付け接続されるのと同時に、当該バッテリ・ボックスに内蔵するバッテリの仕様を自動的に識別することが可能なバッテリ駆動装置を提供できる。
【発明を実施するための最良の形態】
【００２０】
以下、本発明におけるバッテリ自動識別装置およびバッテリ駆動装置の好ましい実施形態について、添付図面である図１〜図４を参照しながら説明する。なお、各実施例におけるバッテリ駆動装置は、交流入力電圧の低下若しくは停電時にも、バッテリからの給電により所要の出力電圧を負荷に供給し続ける無停電電源装置である。
【実施例１】
【００２１】
図１および図２は、プッシュ・スイッチ方式を採用した本発明の第１実施例を示している。同図において、一点鎖線で示した20は無停電電源装置21の外郭本体を示し、６はこの外郭本体20に露出して設けた無停電電源装置11側のバッテリ・ボックス接合部である。このバッテリ・ボックス接合部６には、後述するバッテリ・ボックスＢ１〜Ｂ４内のバッテリ22と電気的な接続を図るための電力供給用の入力端子５と、この入力端子５の上方に位置して、複数のスイッチたる検出部としてのモメンタリ式のプッシュ・スイッチ１〜４が設けられており、上記各プッシュ・スイッチ１〜４のプッシュ・ピン１Ｐ〜４Ｐが外力により出没するようになっている。
【００２２】
一方、本実施例では内蔵するバッテリ22の仕様がそれぞれ異なる４種類のバッテリ・ボックスＢ１〜Ｂ４が用意されている。例えば、バッテリ・ボックスＢ１は、端子電圧がＤＣ４８Ｖの鉛蓄電池がバッテリ22として内蔵され、バッテリ・ボックスＢ２は、端子電圧がＤＣ２４Ｖの鉛蓄電池がバッテリ22として内蔵され、バッテリ・ボックスＢ３は、端子電圧がＤＣ２４．６Ｖのリチウム・イオン二次電池がバッテリ22として内蔵され、バッテリ・ボックスＢ４は、今後実用化が予想される端子電圧がＤＣ１２Ｖの次世代二次電池がバッテリ22として内蔵される。なお、これはあくまでも一例で、これ以上または限定した種類のバッテリ・ボックスＢが用意されてもよい。
【００２３】
図１は、バッテリ・ボックスＢ１が無停電電源装置21に取付け接続された状態を示す。図中、１Ｃ〜４Ｃは各プッシュ・スイッチ１〜４の接点を示し、これに対応して本実施例では、判別部35としての４つの充放電制御切換回路31〜34が無停電電源装置21の内部に設けられている。ここでのプッシュ・スイッチ１〜４は、プッシュ・ピン１Ｐ〜４Ｐのいずれかが選択的に押圧されると、このプッシュ・ピン１Ｐ〜４Ｐの基端にある導電片（図示せず）が、対応する接点１Ｃ〜４Ｃを閉じて、その接点１Ｃ〜４Ｃに繋がる充放電制御切換回路31〜34に動作電圧Ｖccを供給するようになっている。また、充放電制御切換回路31〜34は、予め用意されたバッテリ・ボックスＢ１〜Ｂ４に対応して設けられており、特定のバッテリ・ボックスＢ１〜Ｂ４が無停電電源装置21に接続された時に、そのバッテリ・ボックスＢ１〜Ｂ４に最適な充放電制御を行なうようになっている。
【００２４】
外形がいずれも共通の矩形状をなす各バッテリ・ボックスＢ１〜Ｂ４は、それぞれに異なる仕様のバッテリ22が収容され、その収容したバッテリ22に応じて、固有の物理的な形状を有する識別部41が前記プッシュ・スイッチ１〜４に臨んで設けられる。この識別部41は、自身のバッテリ22の仕様を無停電電源装置21側に識別させるのに設けられ、より具体的には、プッシュ・ピン１Ｐ〜４Ｐの押込み部として形成され、バッテリ・ボックスＢ１〜Ｂ４の一側面と面一な平面部42と、プッシュ・ピン１Ｐ〜４Ｐの非押込み部（非接触部）として形成され、バッテリ・ボックスＢ１〜Ｂ４の一側面よりも内側に窪んだ凹部43のいずれかが、各プッシュ・ピン１Ｐ〜４Ｐの先端部に臨んで設けられている。さらに、このバッテリ・ボックスＢ１〜Ｂ４の一側面には、当該バッテリ・ボックスＢ１〜Ｂ４を無停電電源装置21のバッテリ・ボックス接合部６に装着したときに、このバッテリ・ボックス接合部６の入力端子５に連結するコネクタ・ピン挿入孔44を備えている。
【００２５】
なお、前記ピン押込み部たる平面部42は、収容されるバッテリ22の仕様と正確に対応していないと、最適な充放電制御を行なうことができない。従って、平面部42に各々異なる色を彩色するか、記号を記入すれば、バッテリ22の収容を間違わないように注意を促すことができ、バッテリ22の誤収容を防止できる。例えば、バッテリ・ボックスＢ１の場合は、彩色を赤とするか、記号を使用するのであれば「Pb24V」等を記入しておくと良い。
【００２６】
次に、上記構成について、その作用を説明する。複数種用意されたバッテリ・ボックスＢ１〜Ｂ４の中から、特定の例えばバッテリ・ボックスＢ１を選択して、このバッテリ・ボックスＢ１の一側面を無停電電源装置21のバッテリ・ボックス接合部６に取付け接続すると、バッテリ・ボックス22側の識別部41として形成された平面部42と凹部43とにより、プッシュ・スイッチ１のプッシュ・ピン１Ｐだけが押されて（プッシュ・ピン２Ｐ〜４Ｐは非接触）、プッシュ・スイッチ１の接点１Ｃがオン即ち閉じ、他のプッシュ・スイッチ２〜４の接点２Ｃ〜４Ｃはオフ即ち開く。こうなると、無停電電源装置21側では、バッテリ・ボックスＢ１に内蔵するバッテリ22に対応して、このバッテリ22の仕様に適合した充放電制御切換回路31に動作電圧Ｖccが供給され、当該充放電制御切換回路31による最適な充放電制御が行なわれる。
【００２７】
つまり、ここでは無停電電源装置21に特定の例えばバッテリ・ボックスＢ１を装着したときに、無停電電源装置21側がバッテリ22の仕様を判別できるように、プッシュ・スイッチ１〜４のそれぞれをオンまたはオフにするように、前記識別部41を独自に構成している。そして、このプッシュ・スイッチ１〜４の状態を基に、判別部35である充放電制御切換回路31〜34がそれぞれバッテリ・ボックスＢ１に内蔵するバッテリ22の仕様を判別し、それに対応する充放電制御切換回路31だけを動作させるようにしている。従って、別のバッテリ・ボックスＢ２が無停電電源装置21に装着されれば、プッシュ・スイッチ２の接点２Ｃだけがオンし、これに対応した充放電制御切換回路32が動作する。同様に、バッテリ・ボックスＢ３を無停電電源装置21に装着すると、プッシュ・スイッチ３の接点３Ｃだけがオンし、これに対応した充放電制御切換回路33が動作すると共に、バッテリ・ボックスＢ４を無停電電源装置21に装着すると、プッシュ・スイッチ４の接点４Ｃだけがオンし、これに対応した充放電制御切換回路34が動作する。
【００２８】
以上のように、本実施例では無停電電源装置21およびバッテリ・ボックスＢ１〜Ｂ４に組み込まれるバッテリ自動識別装置に関し、仕様の異なるバッテリ22が各々に収容されるバッテリ・ボックスＢ１〜Ｂ４に、前記バッテリ22の仕様に応じた異なる識別部41を設けると共に、前記バッテリ・ボックスＢ１〜Ｂ４が取付け接続されるバッテリ駆動装置としての無停電電源装置21に、識別部41を検出するための検出部たるプッシュ・スイッチ１〜４と、当該各プッシュ・スイッチ１〜４の検出結果に基づき、バッテリ・ボックスＢ１〜Ｂ４に収容されたバッテリ22の仕様を判別する判別部35とを備えている。
【００２９】
また、仕様の異なるバッテリ22を各々に収容したバッテリ・ボックスＢ１〜Ｂ４が選択的に取付け接続され、この選択したバッテリ22からの給電を受けて駆動するバッテリ駆動装置としての無停電電源装置21に関し、本実施例では、バッテリ・ボックスＢ１〜Ｂ４に設けられたバッテリ22の仕様に応じて異なる識別部41を検出するプッシュ・スイッチ１〜４と、当該各プッシュ・スイッチ１〜４の検出結果に基づき、バッテリ・ボックスＢ１〜Ｂ４に収容されたバッテリ22の仕様を判別する判別部35とを備えている。
【００３０】
いずれの場合も、特定のバッテリ・ボックスＢ１〜Ｂ４を選択して無停電電源装置21に取付け接続すると、バッテリ22の仕様に応じてバッテリ・ボックスＢ１〜Ｂ４に独自に設けられた識別部41の特徴を、無停電電源装置21側にある各プッシュ・スイッチ１〜４が認識し、このプッシュ・スイッチ１〜４による検出結果を基に、判別部35がバッテリ・ボックスＢ１〜Ｂ４に内蔵するバッテリ22の仕様を判別する。そのため無停電電源装置21は、新しいバッテリ・ボックスＢ１〜Ｂ４を取付け接続するのと同時に、どのような仕様のバッテリ22に交換されたのかを自動的に認識することができる。
【００３１】
また本実施例では、判別部35がバッテリ22の仕様を判別すると、そのバッテリ22に対応した最適な充放電制御切換回路31が動作するので、無停電電源装置21に取付け接続した例えばバッテリ・ボックスＢ１内のバッテリ22に対して、無停電電源装置21は最適充放電制御を行なうことが自動的に可能となる。
【００３２】
また本実施例では、前記プッシュ・スイッチ１〜４が複数のスイッチで構成されると共に、無停電電源装置21に特定の例えばバッテリ・ボックスＢ１を装着したときに、プッシュ・スイッチ１〜４のそれぞれを内蔵するバッテリ22の仕様に応じてオンまたはオフにするように、識別部41に例えば平面部42や凹部43を設けている。
【００３３】
こうすると、各バッテリ・ボックスＢ１〜Ｂ４には、予めプッシュ・スイッチ１〜４のそれぞれをオンまたはオフする識別部が設けられているので、バッテリ・ボックスＢ１〜Ｂ４をバッテリ駆動装置に装着すれば、各プッシュ・スイッチ１〜４のオン・オフ状態から自動的にバッテリ22の仕様を判別することが可能になる。
【実施例２】
【００３４】
次に、図３と図４を参照しながら、コネクタ方式を採用した本発明の第２実施例を説明する。図４において、８は無停電電源装置側のバッテリ・ボックス接続部であり、ここにはバッテリ・ボックスＢ１〜Ｂ４内のバッテリ22と電気的な接続を図るための電力供給用の入力端子15が設けられると共に、この入力端子15の側方に位置して、検出部としてのコネクタ・ピン11〜14が上下を夫々一対として並設されている。なお、本実施例でも、内蔵するバッテリ22の仕様がそれぞれ異なる４種類のバッテリ・ボックスＢ１〜Ｂ４が用意されている。
【００３５】
図３は、バッテリ・ボックスＢ１が無停電電源装置21に取付け接続された状態を示す。図中、バッテリ・ボックスＢ２においては、前記無停電電源装置21側のコネクタ15と接続するコネクタ・ピン挿入孔55を備えると共に、自身のバッテリ22の仕様を無停電電源装置21側に識別させるために設けられ、バッテリ・ボックス接続部８に設けたコネクタ・ピン11〜14が挿入される各一対のソケット51〜54が設けられる。そして、例えばバッテリ・ボックスＢ２の場合、充放電制御切換回路32に繋がるコネクタ・ピン12に対応した一対のソケット52のみが、短絡接続線52Ｂによりバッテリ・ボックスＢ２の内部で短絡されており、その他の一対のソケット51，53，54には短絡接続線が存在せず、開放した状態になっている。つまり、ここでの識別部41に相当するソケット51〜54と短絡接続線51Ｂ〜54Ｂは、接触片であるコネクタ・ピン11〜14のそれぞれを、バッテリ22の仕様に応じて独自に短絡または開放するように構成している。
【００３６】
なお、バッテリ・ボックスＢ２の場合は、充放電制御切換回路31に繋がるコネクタ・ピン11に対応した一対のソケット51のみが、短絡接続線51Ｂにより短絡される。同様に、バッテリ・ボックスＢ３の場合は、充放電制御切換回路33に繋がるコネクタ・ピン13に対応した一対のソケット53のみが、短絡接続線53Ｂにより短絡され、バッテリ・ボックスＢ４の場合は、充放電制御切換回路34に繋がるコネクタ・ピン14に対応した一対のソケット54のみが、短絡接続線54Ｂにより短絡される。また16は、選択したバッテリ・ボックスＢ１〜Ｂ４を接続する場合、バッテリ・ボックスＢ１〜Ｂ４が左右逆方向に接続されないようにする位置決め用突起である。
【００３７】
次に、上記構成について、その作用を説明する。複数種用意されたバッテリ・ボックスＢ１〜Ｂ４の中から、特定の例えばバッテリ・ボックスＢ１を選択して、このバッテリ・ボックスＢ１の一側面を無停電電源装置21のバッテリ・ボックス接合部８に取付け接続すると、バッテリ・ボックスＢ１内では一対のソケット51間のみが短絡接続線51Ｂにより短絡され、他のソケット52〜54間は開放されているので、図３に示すように、無停電電源装置21側では、バッテリ・ボックスＢ１に内蔵するバッテリ22に対応して、このバッテリ22の仕様に適合した充放電制御切換回路31に動作電圧Ｖccが供給される。このとき、無停電電源装置21側のコネクタ15と、選択したバッテリ・ボックスＢ１のコネクタ・ピン挿入孔55も互いに連結されるため、前記充放電制御切換回路31による最適な充放電制御が行なわれる。
【００３８】
つまり、ここでは無停電電源装置21に特定の例えばバッテリ・ボックスＢ１を装着したときに、無停電電源装置21側がバッテリ22の仕様を判別できるように、コネクタ・ピン11〜14のそれぞれを、バッテリ22の仕様に応じて短絡または開放するように、前記識別部41を独自に構成している。そして、このコネクタ・ピン11〜14の短絡または開放状態を基に、判別部35である充放電制御切換回路31〜34がそれぞれバッテリ・ボックスＢ１に内蔵するバッテリ22の仕様を判別し、それに対応する充放電制御切換回路31だけを動作させるようにしている。
【００３９】
以上のように本実施例でも、仕様の異なるバッテリ22が各々に収容されるバッテリ・ボックスＢ１〜Ｂ４に、当該バッテリ22の仕様に応じた異なる識別部41を設けると共に、バッテリ・ボックスＢ１〜Ｂ４が取付け接続される無停電電源装置21に、識別部41を検出するための検出部たるコネクタ・ピン11〜14と、当該コネクタ・ピン11〜14の検出結果に基づき、バッテリ・ボックスＢ１〜Ｂ４に収容されたバッテリ22の仕様を判別する判別部35とを備えている。
【００４０】
こうすれば、特定のバッテリ・ボックスＢ１〜Ｂ４を選択して無停電電源装置21に取付け接続すると、バッテリ22の仕様に応じてバッテリ・ボックスＢ１〜Ｂ４に独自に設けられた識別部41の特徴を、無停電電源装置21側にあるコネクタ・ピン11〜14が認識し、このコネクタ・ピン11〜14による短絡若しくは開放の検出結果を基に、判別部35がバッテリ・ボックスＢ１〜Ｂ４に内蔵するバッテリ22の仕様を判別する。そのため無停電電源装置21は、新しいバッテリ・ボックスＢ１〜Ｂ４を取付け接続するのと同時に、どのような仕様のバッテリ22に交換されたのかを自動的に認識することができる。
【００４１】
また特に本実施例では、バッテリ駆動装置である無停電電源装置21に複数の接触片であるコネクタ・ピン11〜14を検出部として構成すると共に、無停電電源装置21とバッテリ・ボックスＢ１〜Ｂ４のいずれかとを電気的に接続したときに、コネクタ・ピン11〜14のそれぞれをバッテリ22の仕様に応じて短絡または開放するように、前記識別部41を構成している。
【００４２】
こうすると、各バッテリ・ボックスＢ１〜Ｂ４には、予めコネクタ・ピン11〜14のそれぞれを任意のラインに短絡または開放する識別部41が設けられているので、バッテリ・ボックスＢ１〜Ｂ４を無停電電源装置21に接続すれば、各コネクタ・ピン11〜14の短絡・開放状態から自動的にバッテリ22の仕様を判別することが可能になる。
【００４３】
なお本発明は、以上の実施例に限定されること無く、本発明の基本思想を基に種々の形態で実施可能である。例えば、識別部と検出部として発光素子と受光素子を組み合わせたフォト・カプラを設けても良い。また、プッシュ・スイッチ方式において、バッテリ・ボックス側のプッシュ・ピンとの非接触部である凹部に代わり、孔部を設けても良い。また、コネクタ方式においては、制御系で電力の小さい充電制御切換回路用コネクタをバッテリ電力供給用コネクタと別に設けても良い。
【図面の簡単な説明】
【００４４】
【図１】本発明の好ましい第１実施例における、バッテリ自動認識装置の構成を示す概略説明図である。
【図２】同上第１実施例における、バッテリ自動認識装置の構造を示す斜視図である。
【図３】本発明の好ましい第２実施例における、バッテリ自動認識装置の構成を示す概略説明図である。
【図４】同上第２実施例における、バッテリ自動認識装置の構造を示す斜視図である。
【符号の説明】
【００４５】
１〜４  プッシュ・スイッチ（スイッチ，検出部）
Ｂ１〜Ｂ４  バッテリ・ボックス
11〜14  コネクタ・ピン（接触片，検出部）
21  無停電電源装置
22  バッテリ
35  判別部
41  識別部
【図１】
2005310432.tif 000003
【図２】
2005310432.tif 000004
【図３】
2005310432.tif 000005
【図４】
2005310432.tif 000006